(57)【要約】【課題】  スライド式操作を片手で容易に行えるようにした携帯製品に用いられるスライド装置及び携帯電話を提供する。【解決手段】  携帯電話の機器本体２と表示部を備えた蓋体との間に、前記機器本体２に対し蓋体を開方向又は閉方向に付勢させる弾性部材を設けて機器本体２に蓋体をスライド可能に設け、蓋体を閉位置又は開位置で機器本体２にロックするロック部２９を設け、前記ロック部２９に連係し、ロック部２９のロックを解除する解除手段３８を備えたことを特徴とする。【選択図】    図１０
2006074444.tif 000002
【特許請求の範囲】
【請求項１】
携帯製品本体と蓋体との間に、前記携帯製品本体に対し蓋体を開方向又は閉方向に付勢させる弾性部材を設けて携帯製品本体に蓋体をスライド可能に設け、蓋体を閉位置又は開位置で携帯製品本体にロックするロック部を設け、前記ロック部に連係し、ロック部のロックを解除する解除手段を備えたことを特徴とするスライド装置。
【請求項２】
前記蓋体は可動部を介して携帯製品本体に支持され、この可動部に前記ロック部にロックすると共に前記解除手段を介してロック部からアンロックされるフックが設けられていること特徴とする請求項１に記載のスライド装置。
【請求項３】
前記蓋体を携帯製品本体に対してロックする際に、前記フックをロック位置へ案内すると共に、前記ロック部とのロック状態を維持可能にするガイド部が備えられていることを特徴とする請求２に記載のスライド装置。
【請求項４】
前記解除手段は、前記フックをアンロック位置に変位させ、弾性体により復帰するリリース部材を備え、このリリース部材は携帯製品本体の外側に突出する操作部を備えていることを特徴とする請求項２又は３に記載のスライド装置。
【請求項５】
携帯製品本体とこの携帯製品本体の上面をスライド可能に覆う蓋体との間に介装され、蓋体を携帯製品本体に対して開位置又は閉位置に付勢するスライド装置であって、
前記蓋体の開閉方向に沿って配置され、その開閉方向に沿って摺動可能且つ前記携帯製品本体あるいは蓋体のいずれか一方に連結される可動部と、前記可動部を付勢する弾性部材と、前記可動部に設けられたフックとを備えてなり、前記可動部が前記弾性部材の付勢に抗して移動した際に前記フックに係合するロック部と、前記ロック部に連係し、前記フックとロック部との係合を解除する解除手段とが備えられていることを特徴とするスライド装置。
【請求項６】
請求項１から５のいずれかに記載のスライド装置を備えたことを特徴とする携帯電話。
【発明の詳細な説明】
【技術分野】
【０００１】
本発明は、スライド装置及び携帯電話に関するものである。
【背景技術】
【０００２】
従来、携帯電話等の携帯製品には小型化の要求に対応するため、スライド式構造が採用されるようになってきている。このスライド式構造は、通常、筐体と蓋体とで構成され、これら蓋体と筐体との間にスライド装置を介装して筐体に対し蓋体をスライド可能に結合したものである。
【０００３】
例えば、テンキーを具えた携帯電話機本体に対して、表示部及びソフトキーを具えた蓋体がスライド可能に配備され、蓋体の全閉によりテンキーが蓋体に隠れ、蓋体の全開によりテンキーが露出し、表示部は蓋体の開閉に無関係に露出して設けられている。（特許文献１、２参照）
【特許文献１】特開２００３−１１０６７５号公報
【特許文献２】特開２００３−１２５０５２号公報
【発明の開示】
【発明が解決しようとする課題】
【０００４】
このような従来のスライド装置を備えた携帯電話機では、蓋体をスライドさせる際に片手で行うことができる点で有利であるが、このスライド操作を片手で行う場合、蓋を指で押し出す操作が必要になり、携帯電話機が手から滑り落ちたり、蓋体に設けられたソフトキーを誤操作してしまう虞がある。
【０００５】
そこで、本発明は、スライド式操作を片手で容易に行えるようにした携帯製品に用いられるスライド装置及び携帯電話を提供することを目的とする。
【課題を解決するための手段】
【０００６】
請求項１記載の発明は、携帯製品本体と蓋体との間に、前記携帯製品本体に対し蓋体を開方向又は閉方向に付勢させる弾性部材を設けて携帯製品本体に蓋体をスライド可能に設け、蓋体を閉位置又は開位置で携帯製品本体にロックするロック部を設け、前記ロック部に連係し、ロック部のロックを解除する解除手段を備えたことを特徴とする。
このように構成することにより、解除手段によって蓋体のロックされた状態を解除させることが可能になる。
【０００７】
請求項２記載の発明は、請求項１記載の発明において、前記蓋体は可動部を介して携帯製品本体に支持され、この可動部に前記ロック部にロックすると共に前記解除手段を介してロック部からアンロックされるフックが設けられていることを特徴とする。
このように構成することにより、弾性部材の弾性変形に基づく付勢力による可動部の移動を規制することができる。さらに、解除手段によってロックされていたフックが解除されることによって、前記可動部は迅速に元の位置に戻される。
【０００８】
請求項３記載の発明は、請求項２記載の発明において、前記蓋体を携帯製品本体に対してロックする際に、前記フックをロック位置へ案内すると共に、前記ロック部とのロック状態を維持可能にするガイド部が備えられていることを特徴とする。
このように構成することによって、フックがロック部へと確実に案内され、ガイド部によってロック部に支持される。
【０００９】
請求項４記載の発明は、請求項２又は３に記載の発明において、前記解除手段は、前記フックをアンロック位置に変位させ、弾性体により復帰するリリース部材を備え、このリリース部材は携帯製品本体の外側に突出する操作部を備えていることを特徴とする。
このように構成することによって、操作部が操作されるとその動きに伴ってリリース部材が連動し、フックをロック部から解除させることができる。
【００１０】
請求項５記載の発明は、携帯製品本体とこの携帯製品本体の正面をスライド可能に覆う蓋体との間に介装され、蓋体を携帯製品本体に対して開位置又は閉位置に付勢するスライド装置であって、前記蓋体の開閉方向に沿って配置され、その開閉方向に沿って摺動可能且つ前記携帯製品本体あるいは蓋体のいずれか一方に連結される可動部と、前記可動部を付勢する弾性部材と、前記可動部に一端が支持されるフックとを備えてなり、前記可動部が前記弾性部材の付勢に抗して移動した際に前記フックの他端をロックするロック部と、前記ロック部に連係し、前記フックのロック部へのロックを解除する解除手段とが備えられていることを特徴とする。
このように構成することにより、可動部の移動に伴い、蓋体を連動させることができる。解除手段に外部に突出した操作部を設ければ、これを操作するだけで、フックのロック部へのロックを解除することができ、蓋体を少ない動作で容易にスライドさせることができる。
【００１１】
請求項６記載の発明は、請求項１から５のいずれかに記載のスライド装置を備えたことを特徴とする。
このように構成することにより、外部から操作部を操作するだけで、蓋体をスライドさせることができる。
【発明の効果】
【００１２】
請求項１に記載の発明によれば、ロックの解除を少ない労力で行うことが可能になるので、蓋体のスライドが容易になり、携帯製品の利便性を向上させることができる。
請求項２に記載の発明によれば、弾性部材の弾性変形に基づく付勢力による可動部の移動を規制することができるので、蓋体の開位置及び閉位置を確実に維持させることができる。さらに、解除手段によってロックされていたフックが解除されることによって、前記可動子は迅速に元の位置に戻されるので、蓋体のスライドを自動化することが可能となる。
【００１３】
請求項３に記載の発明によれば、フックがロック部へと確実に案内され、ガイド部によってロック部に支持されるので、フックがロック部から外れることを防止することができ、ロック状態を維持することができる。
請求項４に記載の発明によれば、操作部が操作されるとその動きに伴ってリリース部材が連動し、フックをロック部から解除させることができるので、蓋体に触れることなく前記蓋体を自動で開かせることが可能となる。
【００１４】
請求項５に記載の発明によれば、可動部の移動に伴って蓋体を連動させることができるので、蓋体に触れることなくスライドさせることができる。
また、解除手段に外部に突出した操作部を設ければ、これを操作するだけで、フックのロック部へのロックを解除することができ、蓋体を少ない動作で容易にスライドさせることができるので、携帯電話の操作性が向上する。
請求項６に記載の発明によれば、外部から操作部を操作するだけで、蓋体をスライドさせることができるので、携帯電話の蓋体をワンタッチでスライドさせることが可能となり、片手だけで容易に行うことができる。したがって、携帯電話をより便利に使いこなすことができるようになる。
【発明を実施するための最良の形態】
【００１５】
以下、本発明の実施の形態について、図面に基づいて説明する。
この実施形態は、本発明の携帯製品を携帯電話に適用した場合を示す。
図１に示すように、この携帯電話１は、機器本体２（携帯製品本体）と、この機器本体２の上面２Ａ側を覆う蓋体３とから構成されている。機器本体２には、後述するスライド装置６が長手方向に沿って両側にそれぞれ内蔵されており、後述するスリット１４から前記スライド装置６のピン１５が突出するように設けられている。さらに機器本体２の上面２Ａには、前記スライド装置６をガイドするスリット１４が形成されていると共に、機器本体用操作ボタン５が複数設けられている。機器本体２の両側壁には溝８が設けられ、この溝８に後述する蓋体３を支持するものである。また、機器本体２の側壁の一方には操作部９が開口孔１０から突出しており、この操作部９の操作により蓋体３をスライドさせるものである。この機器本体２の前部にはアンテナ７が設けられている。
【００１６】
蓋体３は、上面２Ａに表示部４４を備えると共に蓋体３を機器本体２に対して閉じた状態でも、主要な操作が行えるようにするために蓋体用操作ボタン１１が３箇所に設けられている。蓋体３の両側縁にはガイド壁部１２が設けられ、このガイド壁部１２が、前記機器本体２の各溝８、８にスライド自在に係合するようになっている。
【００１７】
図３に示すように、前述した蓋体３のガイド壁部１２を機器本体２に形成された溝８のストロークエンドまで押し込んだ状態で、前記スライド装置６がロック状態となり、この蓋体３は機器本体２に対して固定され、操作部９を押圧するとスライド装置６のロック状態が解除されて、蓋体３は図２に示すように本体用操作ボタン５を露出した状態まで開作動して使用状態となる。
【００１８】
ここで図４に示すように、蓋体３の裏面３Ａの前記ガイド壁部１２には、これに連なるようにして内側に向いたガイド部４５が設けられている。さらに裏面３Ａの長手方向略中央部分には一対の凹部１３が設けられ、この凹部１３は機器本体２に形成されたスリット１４から突出するスライド装置６のピン１５に係止するものである。
【００１９】
次に、図５から図９に基づいて、スライド装置６について詳細に説明する。
図５に示すように、スライド装置６は、下側にベースプレート１６を備えている。このベースプレート１６は機器本体２の長手方向に沿う部材で前後左右に壁が立ち上がり、プレス成型によって形成された部材である。このベースプレート１６内には一対の軸１７が長手方向に沿って所定間隔を隔てて固定され、この軸１７にスプリング１８（弾性部材）が外装されている。この軸１７は、Ｔ字状のスライド部材１９の基部に形成された一対のガイド孔３５に挿通して設けられ、ベースプレート１６に設置される。前記スライド部材１９は、軸１７を介してスライド自在に設けられ、このスライド部材１９が前記スプリング１８によって、蓋体３の開方向に付勢されている。
尚、前記ベースプレート１６の基部側には前記軸１７を固定する一対の係止片２０が底壁から立ち上げ形成されている。
【００２０】
そして、前記Ｔ字状のスライド部材１９には、フック４の基部が支持ピン３１によって上下方向に回動自在に取り付けられ、フック４の先端は係止部２１となっている。すなわち、スライド部材１９がスプリング１８を縮退する方向に移動した場合に、このフック４が後述するロックフレーム２８（ロック部）に係止した状態でスライド部材１９を固定できるようにしてある。また、前記ベースプレート１６のスプリング１８を支持する一対の係止片２０の間には、ベースプレート１６の底壁部分を徐々に上側に傾斜するように折り曲げた弾性ガイド片２２が形成されている。
【００２１】
図６に示すように、前述したベースプレート１６に２本の軸１７及びスプリング１８を装着し、且つフック４を装着したスライド部材１９を装着して下側ユニット２３を構成し、この下側ユニット２３に対して上カバー２４が取り付けられるようになっている。この上カバー２４には、幅方向中央部に長手方向に沿って後述する固定ピン２５のスライドを許容するためのスリット４６が形成され、このストロークエンドには若干径の大きな開口部２６が形成されている。この開口部２６は、前述したスライド部材１９のフック４の係止部２１が出没するためのものである。この上カバー２４の前記開口部２６を覆うようにして、同様に開口部２７を備えたロックフレーム２８が取り付けられ、このロックフレーム２８の中央部分に取り付けられた前記開口部２７に出没可能なロック体２９が両側の支持ピン３０を介してロックフレーム２８に揺動自在に支持されている。
【００２２】
すなわち、前述したスライド部材１９に支持されたフック４の係止部２１がスライド部材１９のストロークエンドで上カバー２４の開口部２６及びロックフレーム２８の開口部２７から突出すると、このフック４の係止部２１は、ロックフレーム２８に係止すると共に、ロックフレーム２８の開口部２７内のロック体２９を押し上げてロック状態が維持されるようになっている。
【００２３】
そして、図７に示すように、前述したように構成した下側ユニット２３と上カバー２４とを外側から包み込むように、断面Ｃ字状に形成されたスライドブラケット３３が摺動自在に取り付けられ、このスライドブラケット３３に形成された孔３４と、前記スライド部材１９に形成された孔３２（図５，６参照）とを貫通する固定ピン２５を介して、上カバー２４を貫いてスライドブラケット３３とスライド部材１９とを固定している。また、スライドブラケット３３上にはピン１５が突出され、このピン１５が図１に示した機器本体２の上面２Ａのスリット１４から突出するようになっている。
【００２４】
したがって、図８、９に基づいてスライド装置６の動きについて説明すると、図２に示すように蓋体３が機器本体２に対して開状態にある場合には、図８に示すように、前述したスライドブラケット３３すなわちスライド部材１９はスプリング１８の不勢力を受けない状態で軸１７の先端まで移動しており、この状態ではロック体２９はロックフレーム２８の開口部２７から若干頭部２９Ａを突出させた状態にある。次に、前記蓋体３を閉方向にスライドさせると、前記蓋体３によりピン１５を介してスライドブラケット３３がストロークエンドまで押圧される。
これにより、スライド部材１９は、スライド装置６のストロークエンドに向かってスプリング１８を押し縮めながら移動する。
【００２５】
すると、ストロークエンド近傍で前述したフック４が弾性ガイド片２２により徐々に上側に係止部２１を変位させつつ左回りに回動し始め、ストロークエンドに至った時点で、前述したフック４の係止部２１はロックフレーム２８の開口部２７内に突出し、ロック体２９の下側を押圧することになる。押圧されたロック体２９は、後部に傾斜面３１が形成されている関係で、支持ピン３０を中心に右回りに回動するように姿勢変化するため、この頭部２９Ａの上面を後方に若干傾斜させた状態で、上側に突出することとなると共に、後部に傾斜面３１が形成されている関係で、節度感をもってセットされる。このとき、フック４の係止部２１に設けられた縦壁３６は、前記開口部２７の前壁３７に係止する。つまり、伸長しようとするスプリング１８の力によって前記フック４は、ロックフレーム２８に確実に係止される。
したがって、図３に示すように、機器本体２に対して蓋体３が確実にロックされる。
【００２６】
ところで、図１０に示すように、機器本体２に設置されたスライド装置６，６には、これらに連係する解除用部材３８（解除手段）が備えられている。この解除用部材３８は、スライド装置６，６のストロークエンド側に設けられ前記ロック体２９，２９の頭部２９Ａ、２９Ａを押圧する押圧部３９（リリース部材）と、この押圧部３９に連係して機器本体２の側壁に沿って伸びる連結部４０と、この連結部４０の先端に設けられ機器本体２の側壁に形成された開口孔１０から突出する前記操作部９とで構成されている。前記押圧部３９には、この押圧部３９をスライド装置６のストロークエンド側に付勢する引張スプリング４３（弾性体）が機器本体２との間に取り付けられている。
【００２７】
したがって、この操作部９を引張スプリング４３に抗して機器本体２の前記に向かって押し上げる操作をすることで、各スライド装置６の押圧部３９は、ロック状態にあるロック体２９の傾斜した頭部２９Ａに沿ってこれをスムーズに押圧し、徐々に押圧されて下降するロック体２９により、前記スライド部材１９のフック４の係止部２１が下側に押圧されることとなる。このときフック４は、弾性ガイド片２２を押圧しながら下側に下がり、このフック４のロックフレーム２８に対する係合状態が解除された位置にくると、前述したスプリング１８によってフック４及びスライド部材１９は付勢されて元の位置に戻る。
すなわち、図２に示すように、蓋体３は２つのスライド装置６，６によりバランスよくスライドして開状態となる。また、ワンタッチで蓋体３をスライドさせることができるので、片手で容易に開かせることができる。
尚、図示都合上、解除用部材３８は図１０にのみに示すものとし、図１から図３については、操作部９のみを示した。
【００２８】
次に、本発明の第２の実施形態について図１１から図１５に基づいて説明する。
この実施形態は、第１の実施形態におけるスライド装置６のスライド部材１９とフック４とを一体化したスライド部材５０とすると共に、第１実施形態のロック体２９及びロックフレーム２８に替えてロックベース５４及びロック部６０とし、これに加えて操作部９（解除部材）を異なる構成の操作部５７としたものである。また、押圧部３９（リリース部材）と操作部９を一体にして単純な構造の操作部５７としたものである。
尚、ベースプレート１６、軸１７、スプリング１８及びスライドブラケット３３等の基本的構成は、第１実施形態と同様であるので同一部分に同一符号を付して説明は省略する。
【００２９】
スライド部材５０は、Ｔ字状に形成されたもので、先端に一体形成されたフック部６３を備えている。このフック部６３は、後述するロック体５２（ロック部）に対して横方向から係止するものであり、フック部６３自体は上記実施形態とは異なり、スライド部材５０に対して可動するものではない。スライド部材５０の基部には、一対の軸１７を挿通するガイド穴３５が２つ形成されている。
【００３０】
ベースプレート１６のストロークエンド側には、前述した係止片２０に隣接してロックベース５４が設けられている。このロックベース５４には、ベースプレート１６の幅方向に溝５６が形成され、この溝５６に後述する操作部５７（解除手段）をスライド自在に装着すると共に、略中央部に設けられた軸受穴５８にロック部６０を揺動自在に支持するものである。また、ロックベース５４には、スライド装置５０のフック部６３を受け入れる溝６６が形成されている。
【００３１】
前記ロック部６０は、前述したロックベース５４の軸受穴５８に水平方向に揺動自在支持される基部側の軸部６１と、この軸部６１を中心にしてロックベース５４の幅方向に揺動する先端側のロック体５２から構成されている。
前記ロック体５２は、コイルばね６２（弾性体）によってベースプレート１６からロックベース５４の内側に付勢されており、ロック体５２の先端部分にはスライド部材５０のフック部６３に係止する係止部７０が設けられている。
【００３２】
したがって、ロックベース５４の溝６６に対して挿入されたフック部６３に、前記コイルばね６２によって付勢されたロック部６０のロック体５２がこの溝６６から突出して係止するようになっている。
また、前述したロック部６０の溝５９にスライド自在に装着される操作部５７は、その先端部分の裏面５７Ａに突起６７（リリース部材）を備えていて、この突起６７が前記ロック部６０のロック体５２に設けられた穴６８に係止している。
そして、図１４，１５に示すように、前記スライド部材５０は、第１の実施形態と同様にスライドブラケット３３が固定ピン２５によって固定されている。
【００３３】
図１３，１５に示すように、蓋体３が開いた状態においては、スプリング１８によって押圧されたロック体５２がロックベース５４の溝６６にコイルばね６２によって押圧されて、突出した状態になっている。さらに、操作部５７も同様にロック体５２を介して押圧されて、機器本体２から外部へ突出した状態となっている。
このとき、ベースプレート１６及び上カバー２４には各々切欠き部７１ａが形成され、双方を組み合わせることによって開口孔７１が構成され、前記操作部５７は、この開口孔７１と機器本体２の側壁に形成された開口孔（図示せず）から外部へ突出している。
【００３４】
この状態で、蓋体３を閉方向にスライドさせると、図１２，１４に示すように、前記スライド部材５０のフック部６３が前記ロックベース５４の溝６６に侵入し、フック部６３によりロック体５２が押圧されてコイルばね６２に抗して退避し、さらに押し込まれたフック部６３がロック体５２の係止部７０を越えると、コイルばね６２によって付勢されたロック体５２が係止位置へ回動し、その係止部７０がフック部６３に係止する。
このときロック部６３の基部側に設けられた軸部６１によってスムーズに回動できるため、フック部６３のロック体５２に対する係合動作はスムーズに成される。また、フック部６３がロック体５２をスムーズに押し上げることができるように、係止部７０とフック部６３の先端には、傾斜面７０Ａ、６３Ａが形成されている。
【００３５】
したがって、蓋体３を機器本体２に対して閉状態から開状態にする場合には、一対のスライド装置５１にそれぞれ設けられた両側の操作部５７を外部から押圧すれば、ロック体５２が軸部６１を中心に退避方向に回動するため、フック部６３との係合状態が解除されて、押し縮められたスプリング１８によってスライド部材５０がスライドブラケット３３を介して元の位置に戻り、蓋体３をワンタッチで開くことができる。
すなわち、蓋体３のスライドを自動化することができ、片手だけでも容易に開操作を行うことが可能となる。また、スライド装置５０とフック部６３が一体化されているため壊れに難く、さらに、押圧部３９（リリース部材）と操作部９も一体に形成したため、部品点数の削減を図ることができる。
【００３６】
尚、上記実施形態に限らず、各操作部５７を連動させるようにしてもよい。こうすることによって、一つの操作部５７を押圧するだけで蓋体３を開かせることができるので、より簡単に蓋体３を開くことができる。また、利き手に関わらず操作が容易となるように、両側にある操作部５７のどちらか一方を押圧することで蓋体３がスライドするように構成してもよい。
また、スライド装置５１を一対にして設けたことによって、蓋体３を安定してスライドさせることができる。
【００３７】
尚、本発明では、携帯電話１について説明したが、携帯製品であれば携帯電話１に限らず、携帯用コンピュータ、携帯用電子辞書、その他表示部があり、ボタン操作を必要なものには何にでも適用することができる。また、スライド装置６，５１は、機器本体２に１つだけ設けてもよい。さらに、操作部９，５７を操作したときに蓋体３が機器本体２に対して開方向にスライドした場合について説明したが、操作部９，５７を押すことで機器本体２に対して開いていた蓋体３が閉じるように構成してもよい。
さらに、本発明は、上記実施形態に限定されることなく、本発明の要旨を逸脱しない限り種々の変更が可能である。
【図面の簡単な説明】
【００３８】
【図１】本発明における第１実施形態の携帯電話の斜視図である。
【図２】本発明における第１実施形態の携帯電話の斜視図である。
【図３】本発明における第１実施形態の携帯電話の斜視図である。
【図４】本発明における第１実施形態の携帯電話の要部を示す図である。
【図５】本発明における第１実施形態のスライド装置の斜視分解図である。
【図６】本発明における第１実施形態のスライド装置の斜視分解図である。
【図７】本発明における第１実施形態のスライド装置の組立図である。
【図８】本発明における第１実施形態のスライド装置の断面図である。
【図９】本発明における第１実施形態のスライド装置の断面図である。
【図１０】本発明における第１実施形態のスライド装置の要部を示す図である。
【図１１】本発明における第２実施形態のスライド装置の斜視分解図である。
【図１２】本発明における第２実施形態のスライド装置の要部を示す図である。
【図１３】本発明における第２実施形態のスライド装置の要部を示す図である
【図１４】本発明における第２実施形態のスライド装置の断面図である
【図１５】本発明における第２実施形態のスライド装置の断面図である。
【符号の説明】
【００３９】
１  携帯電話
２  機器本体（携帯製品本体）
３  蓋体
４  フック
９  操作部
１８  スプリング（弾性部材）
１９、５０  スライド部材（可動部）
６、５１  スライド装置
２２  弾性ガイド片（ガイド部）
２８  ロックフレーム（ロック部）
３８  解除用部材（解除手段）
３９  押圧部（リリース部材）
４３  引張スプリング（弾性体）
５２  ロック体（ロック部）
５７  操作部（解除手段）
６１  軸部（ロック部）
６２  コイルばね（弾性体）
６３  フック部（フック）
６７  突起（リリース部材）
【図１】
2006074444.tif 000003
【図２】
2006074444.tif 000004
【図３】
2006074444.tif 000005
【図４】
2006074444.tif 000006
【図５】
2006074444.tif 000007
【図６】
2006074444.tif 000008
【図７】
2006074444.tif 000009
【図８】
2006074444.tif 000010
【図９】
2006074444.tif 000011
【図１０】
2006074444.tif 000012
【図１１】
2006074444.tif 000013
【図１２】
2006074444.tif 000014
【図１３】
2006074444.tif 000015
【図１４】
2006074444.tif 000016
【図１５】
2006074444.tif 000017